(57)【要約】【課題】  カールを迅速かつ的確に形成することを可能とする。【解決手段】  フィルムヒータを有した頭髪カール用のロッド５と、フィルムヒータを有し頭髪を巻き付けたロッド５の外周側に着脱可能に装着される髪止め具７と、  フィルムヒータ及びフィルムヒータに接続され両者の温度を制御する制御ボックス３とよりなり、制御ボックス３は、内側のフィルムヒータの発熱温度が１１０℃、外側のフィルムヒータの発熱温度が６０℃と、温度差が５０℃となるように制御し、頭髪のカール処理を的確且つ迅速に行わせることを特徴とする。【選択図】  図３
2005261841.tif 000002
【特許請求の範囲】
【請求項１】
内側温度調整体を有した頭髪カール用のロッドと、
外側温度調整体を有し頭髪を巻き付けた前記ロッドの外周側に着脱可能に装着される髪止め具と、
前記内側温度調整体及び外側温度調整体に接続され両者の温度を制御する制御手段とよりなることを特徴とする整髪処理装置。
【請求項２】
請求項１記載の整髪処理装置であって、
前記内側温度調整体及び外側温度調整体は、前記制御手段による電気制御により発熱可能に構成されたことを特徴とする整髪処理装置。
【請求項３】
請求項２記載の整髪処理装置であって、
前記制御手段は、前記内側温度調整体及び外側温度調整体に温度差があるように制御することを特徴とする整髪処理装置。
【請求項４】
請求項３記載の整髪処理装置であって、
前記制御手段は、前記温度差が５０℃となるように制御することを特徴とする整髪処理装置。
【請求項５】
請求項３又は４記載の整髪処理装置であって、
前記制御手段は、前記内側温度調整体の発熱温度を相対的に高く前記外側温度調整体の発熱温度を相対的に低くなるように制御することを特徴とする整髪処理装置。
【請求項６】
請求項５記載の整髪処理装置であって、
前記制御手段は、前記内側温度調整体の発熱温度が１１０℃に前記外側温度調整体の発熱温度が６０℃となるように制御することを特徴とする整髪処理装置。
【請求項７】
頭髪をカールする工程と、
前記カールした頭髪の内側を相対的に高い温度で加熱処理し同外側を相対的に低い温度で加熱処理する工程とからなることを特徴とする整髪処理方法。
【発明の詳細な説明】
【技術分野】
【０００１】
本発明は、毛髪をカールする際等に用いられる整髪処理装置、整髪処理方法に関する。
【背景技術】
【０００２】
従来の整髪処理装置例えば図１０，図１１に示すヘアウェーブ装置がある。このヘアウェーブ装置は、分電箱１０１からコード１０３を延線し、このコード１０３の他端にヘアカーラー１０５を着脱自在に接続したものである。ヘアカーラー１０５は、内部にセラミックヒータ１０７を備え、セラミックヒータ１０７の電気的な発熱によって、頭髪のカーリングを促進することができる。
【０００３】
しかしながら、このような構造では、ヘアカーラー１０５に内蔵されたセラミックヒータ１０７により頭髪をカールの内側から加熱するのみであり、カールを迅速且つ的確に形成することに限界があった。
【０００４】
【特許文献１】特開平９−２１５５１７
【発明の開示】
【発明が解決しようとする課題】
【０００５】
解決しようとする問題点は、カールを迅速且つ的確に形成することに限界があった点である。
【課題を解決するための手段】
【０００６】
本発明の整髪処理装置は、ロッドの内側温度調整体と髪止め具の外側温度調整体との温度を制御することを最も主要な特徴とする。
【発明の効果】
【０００７】
本発明の整髪処理装置は、内側温度調整体を有した頭髪カール用のロッドと、外側温度調整体を有し頭髪を巻き付けた前記ロッドの外周側に着脱可能に装着される髪止め具と、前記内側温度調整体及び外側温度調整体に接続され両者の温度を制御する制御手段とよりなるため、ロッドに巻き付けられた頭髪が温度調整された内側温度調整体及び外側温度調整体によって内外から熱処理され、カールを迅速且つ的確に形成することができる。
【０００８】
前記内側温度調整体及び外側温度調整体が、前記制御手段による電気制御により発熱可能に構成された場合は、ロッドに巻き付けられた頭髪が温度調整された内側温度調整体及び外側温度調整体によって内外から加熱処理され、カールを迅速且つ的確に形成することができる。
【０００９】
前記制御手段が、前記内側温度調整体及び外側温度調整体に温度差があるように制御する場合は、ロッドに巻き付けられた頭髪が温度調整された内側温度調整体及び外側温度調整体によって内外の温度差を持って加熱処理され、カールを迅速且つ的確に形成することができる。
【００１０】
前記制御手段が、前記温度差が５０℃となるように制御する場合は、内外の温度差がカールに適したものとなりカールをより迅速且つ的確に形成することができる。
【００１１】
前記制御手段が、前記内側温度調整体の発熱温度を相対的に高く前記外側温度調整体の発熱温度を相対的に低くなるように制御する場合は、カールの内側を相対的により強く加熱することができ、カールをより迅速且つ的確に形成することができる。
【００１２】
前記制御手段が、前記内側温度調整体の発熱温度が１１０℃に前記外側温度調整体の発熱温度が６０℃となるように制御する場合は、内外の加熱温度、及び温度差がカールに適したものとなりカールをより迅速且つ的確に形成することができる。
【００１３】
本発明の頭髪処理方法は、頭髪をカールする工程と、カールした頭髪の内側を相対的に高い温度で加熱処理し同外側を相対的に低い温度で加熱処理する工程とからなるため、頭髪を内外の温度差を持って加熱処理することができ、カールを迅速且つ的確に形成することができる。
【発明を実施するための最良の形態】
【００１４】
本発明の整髪処理装置は、カールをより迅速且つ的確に形成するため、ロッドに巻き付けた頭髪の内外から制御された温度により熱処理することによって実現した。
【実施例１】
【００１５】
図１は、本発明の実施例１に係る整髪処理装置を示す概念図である。図１のように、整髪処理装置１は、制御手段としての制御ボックス３と、複数のロッド５及び髪止め具７とを備えている。
【００１６】
前記制御ボックス３は、複数の制御ボタン９と、液晶表示部１１、延長電線１３，１５などを備えている。
【００１７】
前記制御ボタン９は、連続設定、単発設定の選択、温度設定等を行うものである。連続設定は、例えばロッド５及び髪止め具７の後述するフィルムヒータ２５、５１，５３の温度制御を一連の複数種の加熱処理のために行う。単発設定は、例えば後述する温度差５０℃を持ったフィルムヒータ２５、５１，５３間の温度制御を行う。
【００１８】
前記液晶表示部１１には、設定温度の表示等が行われる。
【００１９】
前記延長電線１３，１５にはそれぞれ前記頭髪カール用のロッド５及び髪止め具７が着脱自在且つ電気的に接続されている。
【００２０】
前記ロッド５及び髪止め具７は、図２，図３のようになっている。図２は、ロッド５及び髪止め具７の組み合わせを示す平面図、図３は同側面図である。図２，図３では、頭髪が省略されているが、前記ロッド５に頭髪を巻き付け、該ロッド５の外周側に髪止め具７を着脱可能に装着している。
【００２１】
前記ロッド５の具体的構成は図４，図５を参照して説明する。図４は、ロッド５の分解断面図、図５は同側面図である。
【００２２】
図２〜図５のように、ロッド５はロッド本体１７と、端子体１９とからなっている。ロッド本体１７は、非導電性の樹脂で中空状に形成され、一端を閉塞する端壁２１を備え、開口された他端に嵌合部２３を備えている。
【００２３】
前記ロッド本体１７の内周には、内側温度調整体としてフィルムヒータ２５が着脱可能に取り付けられている。フィルムヒータ２５は、フィルムの弾性力によりロッド本体１７の内周面に押し付けられるように保持されている。但し、フィルムヒータ２５をロッド本体１７の内周に固着することもできる。フィルムヒータ２５は、非導電性の樹脂フィルム内にニクロム線等を配線したものである。フィルムヒータ２５は、ロッド本体１７の内周面全体にほぼ渡って設けられているが、部分的に設けることも可能である。フィルムヒータ２５には、それぞれプラスマイナス用のコネクタ２７，２８が接続されている。
【００２４】
前記端子体１９は、非導電性の樹脂で形成された端子体本体２９と、プラスマイナスの２本の端子金具３１，３３とからなっている。端子体本体２９には、嵌合部３５が設けられ、前記嵌合穴部２３に着脱可能に嵌合固定される。
【００２５】
前記端子金具３１，３３の内端部に前記フィルムヒータ２５のコネクタ２７，２８が接続され、端子金具３１，３３の外端部に前記延長電線１３のプラスマイナスのコネクタ３７，３９がそれぞれ着脱自在に差し込み接続される。
【００２６】
前記髪止め具７は、図６〜図９を参照して説明する。図６は髪止め具の平面図、図７（ａ）は髪止め具に装着するキャップの平面図、（ｂ）は同側面図、図８は髪止め具を閉じた状態の側面図、図９は髪止め具を開いた状態の側面図である。
【００２７】
図２，図３，図６〜図９のように、前記髪止め具７は、一対のフラップ体４１，４３で構成されている。フラップ体４１，４３は、湾曲部４５，４７とつまみ部４９，５０とを非導電性の樹脂で一体に形成したものである。湾曲部４５，４７の曲率は、前記ロッド５とほぼ同様に形成され、ロッド５よりも直径を大きくして、ロッド５との間に頭髪を挟み込むための若干の空間を形成することができるようになっている。
【００２８】
前記湾曲部４５，４７には、湾曲に沿って外側温度調整体としてフィルムヒータ５１，５３が設けられている。フィルムヒータ５１，５３は、非導電性の樹脂フィルム内にニクロム線等を配線したものである。フィルムヒータ５１，５３は、フラップ体４１，４３と同様な幅、同様な長さに形成され、フラップ体４１，４３全体の温度調整ができるように配置されている。フィルムヒータ５１，５３は、湾曲部４５，４７に設けられた差込みスリット５５，５７に差し込んで取り付けられている。従って、フィルムヒータ５１，５３の交換を容易に行うことができる。
【００２９】
前記フィルムヒータ５１には、プラスマイナスの電線５９，６１が接続され、該電線５９，６１の端部にコネクタ６３，６５が設けられている。電線５９，６１は、窓６７を介して湾曲部４５から引き出され、窓６７にほぼ同形状のキャップ６９が取り付けられ、電線５９，６１の保持が行われている。キャップ６９は、係合片部７１，７３を備えており、該係合片部７１，７３が窓６７内に入り込むことによって、キャップ６９の係合固定が行われている。前記フィルムヒータ５３からも同様に電線が引き出され、該電線の端部に同様にコネクタが設けられている。これらコネクタ６３，６５等が前記延長電線１５側のそれぞれのコネクタに差込み接続される。
【００３０】
前記つまみ部４９，５０は、相互に角度をもって配置され、対向側に結合片７５，７７が一体に設けられている。結合片７５，７７には、結合ピン７９が貫通して取り付けられ、該結合ピン７９にトルクスプリング８１が支持されている。トルクスプリング８１のアーム８３，８５は、それぞれつまみ部４９，５０の内面に弾接している。従って、つまみ部４９，５０をつまんで力を入れると、つまみ部４９，５０がトルクスプリング８１の付勢力に抗して接近し、フラップ体４１，４３が結合ピン７９を中心にして図９のように開く。つまみ部４９，５０を離せば、トルクスプリング８１の付勢力によってフラップ体４１，４３は図８のように閉じる。
【００３１】
次に頭髪処理装置１の作用を、本発明実施例の頭髪処理方法と共に説明する。頭髪をカールする際には、まず頭髪をカールする工程でロッド５に頭髪を巻き付け、頭髪を巻き付けたロッド５の外周側に髪止め具７を装着する。ロッド５に頭髪を巻き付ける際、及びロッド５の外周側に髪止め具７を装着する際には、それぞれ延長電線１３，１５に対する接続を切り離しておく。
【００３２】
そして、複数のロッド５を頭髪に巻き付け、それぞれ頭髪を巻き付けたロッド５の外周側に髪止め具７を装着する。髪止め具７の装着に際しては、図８，図９で説明したように、つまみ部４９，５０をつまんで操作することによって、フラップ体４１，４３をトルクスプリング８１に抗して開き、トルクスプリング８１の付勢力によって閉じるようにする。
【００３３】
次いで、各ロッド５の端子金具３１，３３に延長電線１３のコネクタ３７，３９を差込み接続すると共に、各髪止め具７の各フィルムヒータ５１，５３用のコネクタ６３，６５等に、前記延長電線１５側の各コネクタを差込み接続する。これによって、制御ボックス３と各ロッド５及び各髪止め具７が電気的に接続される。
【００３４】
この状態で、制御ボックス３の制御ボタン９を操作して温度設定を行い、連続設定或いは単発設定により制御を開始する。この設定により、ロッド５のフィルムヒータ２５と髪止め具７のフィルムヒータ５１，５３との温度が適宜制御される。この制御によりカールした頭髪の内側を相対的に高い温度で加熱処理し同外側を相対的に低い温度で加熱処理する工程が実行される。
【００３５】
本実施例では、フィルムヒータ２５とフィルムヒータ５１，５３とに温度差があるように制御する。この温度差は、例えば５０℃となるように制御している。この温度差５０℃は、フィルムヒータ２５の発熱温度を相対的に高く、フィルムヒータ５１，５３の発熱温度を相対的に低くなるように制御している。具体的には、フィルムヒータ２５の発熱温度が１１０℃に、フィルムヒータ５１，５３の発熱温度が６０℃となるように制御し、内外の温度差が５０℃となるようにしている。
【００３６】
このフィルムヒータ２５、フィルムヒータ５１，５３の温度は、例えば液晶表示部１１に表示されるようになっている。従って、作業者はこの液晶表示部１１を見ながら温度調整を行うことができる。
【００３７】
また、連続設定では制御ボックス３によりフィルムヒータ２５、フィルムヒータ５１，５３の温度を設定し、自動的に温度制御を行う。この場合、途中では様々な温度を設定し、仕上げ段階で前記のような制御によってフィルムヒータ２５の発熱温度が１１０℃に、フィルムヒータ５１，５３の発熱温度が６０℃となるようにし、内外の温度差を５０℃とすることができる。
【００３８】
従って、頭髪のカール処理を的確且つ迅速に行わせることができる。
【００３９】
なお、ロッド５及び髪止め具７を洗浄するときは、フィルムヒータ２５、５１，５３を取り外して簡単に丸洗いすることができる。
【００４０】
以上、ロッド５に巻き付けられた頭髪が温度調整されたフィルムヒータ２５及びフィルムヒータ５１，５３によって内外から熱処理され、カールを迅速且つ的確に形成することができる。
【００４１】
前記フィルムヒータ２５及びフィルムヒータ５１，５３は、前記制御ボックス３による電気制御により発熱可能に構成されたため、ロッド５に巻き付けられた頭髪が温度調整されたフィルムヒータ２５及びフィルムヒータ５１，５３によって内外から加熱処理され、カールを迅速且つ的確に形成することができる。
【００４２】
前記制御ボックス３が、前記フィルムヒータ２５及びフィルムヒータ５１，５３に温度差があるように制御するため、ロッド５に巻き付けられた頭髪が温度調整されたフィルムヒータ２５及びフィルムヒータ５１，５３によって内外の温度差を持って加熱処理され、カールを迅速且つ的確に形成することができる。
【００４３】
前記制御ボックス３が、前記温度差が５０℃となるように制御するため、内外の温度差がカールに適したものとなりカールをより迅速且つ的確に形成することができる。
【００４４】
前記制御ボックス３が、前記フィルムヒータ２５の発熱温度を相対的に高く前記フィルムヒータ５１，５３の発熱温度を相対的に低くなるように制御するため、カールの内側を相対的により強く加熱することができ、カールをより迅速且つ的確に形成することができる。
【００４５】
前記制御ボックス３は、前記フィルムヒータ２５の発熱温度が１１０℃に前記フィルムヒータ５１，５３の発熱温度が６０℃となるように制御するため、内外の加熱温度、及び温度差がカールに適したものとなりカールをより迅速且つ的確に形成することができる。
【００４６】
尚、上記実施例では、フィルムヒータ２５の発熱温度を相対的に高く、フィルムヒータ５１，５３の発熱温度を相対的に低くなるように制御したが、温度の高低を逆に設定することも可能である。
【００４７】
前記フィルムヒータ２５、フィルムヒータ５１，５３間の温度差は５０℃以外に設定することも可能である。フィルムヒータ２５、フィルムヒータ５１，５３間に温度差がないように加熱処理することも可能である。
【００４８】
前記内側温度調整体及び外側温度調整体を双方とも電気制御により発熱可能に構成したが、一方にピエゾ素子等を用いることによって冷却可能に構成することも可能である。この場合、一方を発熱させ、一方を冷却することによって温度差をつくることもできる。
【００４９】
前記内外側温度調整体は、シリコンラバーヒータで構成し、或いはロッド５及び髪止め具７の非導電性の樹脂内にニクロム線を直接埋設して構成することもできる。
【図面の簡単な説明】
【００５０】
【図１】整髪調整装置の概略図である（実施例１）。
【図２】ロッド及び髪止め具の組み合わせを示す平面図である（実施例１）。
【図３】ロッド及び髪止め具の組み合わせを示す側面図である（実施例１）。
【図４】ロッドの分解断面図である（実施例１）。
【図５】ロッドの側面図である（実施例１）。
【図６】髪止め具の平面図である（実施例１）。
【図７】（ａ）はキャップの平面図、（ｂ）は同側面図である（実施例１）。
【図８】髪止め具を閉じた状態の側面図である（実施例１）。
【図９】髪止め具を開いた状態の側面図である（実施例１）。
【図１０】ヘアウエーブ装置の斜視図である（従来例）。
【図１１】ヘアカーラーの一部を断面にした正面図である（従来例）。
【符号の説明】
【００５１】
１  整髪調整装置
３  制御ボックス（制御手段）
５  ロッド
７  髪止め具
２５  フィルムヒータ（内側温度調整体）
５１，５３  フィルムヒータ（外側温度調整体）
【図１】
2005261841.tif 000003
【図２】
2005261841.tif 000004
【図３】
2005261841.tif 000005
【図４】
2005261841.tif 000006
【図５】
2005261841.tif 000007
【図６】
2005261841.tif 000008
【図７】
2005261841.tif 000009
【図８】
2005261841.tif 000010
【図９】
2005261841.tif 000011
【図１０】
2005261841.tif 000012
【図１１】
2005261841.tif 000013